【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
複数のサブチャンネルを表す信号を受信するステップと、
前記受信した信号を処理して、前記複数のサブチャンネルのうち第１のサブチャンネルの番組データおよび識別データを含むディジタル・データを発生するステップと、
前記ディジタル・データをディジタル・データ・バスに供給するステップと、
を含む、方法。
【請求項２】
前記ディジタル・データ・バスが、ＩＥＥＥ１３９４バスを含む、請求項１記載の方法。
【請求項３】
前記ディジタル・データを受信するため、ディジタル記録装置がディジタル・データ・バスに接続され、該ディジタル記録装置がオーディオ／ビデオ・ハードディスク・ドライブを有する、請求項１記載の方法。
【請求項４】
前記ディジタル・データを受信するため、ディジタル記録装置がディジタル・データ・バスに接続され、
前記ディジタル記録装置に、前記識別データを所定の記憶場所に記憶させるステップをさらに含む、請求項１記載の方法。
【請求項５】
前記番組データが、オーディオ・データとビデオ・データを含み、
前記識別データが、サブチャンネルの番号を含み、
前記所定の記憶場所が、タイトル・フィールドを含む、請求項４記載の方法。
【請求項６】
前記ディジタル・データ・バスを介して、前記識別データを前記所定の記憶場所から読み出すステップと、
前記ディジタル・データ・バスを介して、前記番組データを前記ディジタル記録装置から受信するステップと、
前記第１のサブチャンネルに対応する出力をイネーブルするステップと、を含む、請求項４記載の方法。
【請求項７】
前記ディジタル・データを受信するため、ディジタル記録装置がディジタル・データ・バスに接続され、
前記ディジタル読出し装置が、前記番組データを記憶する間、前記第１のサブチャンネルに対応する出力をイネーブルするステップをさらに含む、請求項１記載の方法。
【請求項８】
複数のサブチャンネルを表す信号を処理し、前記複数のサブチャンネルのうち第１のサブチャンネルの番組データと識別データを含むディジタル・データを発生するための処理手段と、
前記ディジタル・データを、ディジタル・データ・バスを介して、ディジタル記録装置に供給する入力／出力手段と、
を備える、装置。
【請求項９】
前記ディジタル・データ・バスが、ＩＥＥＥ１３９４バスを含む、請求項８記載の装置。
【請求項１０】
前記ディジタル記録装置が、オーディオ／ビデオ・ハードディスク・ドライブを備える、請求項８記載の装置。
【請求項１１】
前記処理手段が、前記ディジタル記録装置に前記識別データを所定の記憶場所に記憶させる、請求項８記載の装置。
【請求項１２】
前記番組データが、オーディオ・データとビデオ・データを含み、
前記識別データが、サブチャンネルの番号を含み、
前記所定の記憶場所が、タイトル・フィールドを含む、請求項１１記載の装置。
【請求項１３】
前記処理手段が、前記ディジタル・データ・バスを介して、前記所定の記憶場所から前記識別データを読み出し、再生動作を開始するユーザ入力に応答して、前記第１のサブチャンネルに対応する出力をイネーブルする、請求項１１記載の装置。
【請求項１４】
前記ディジタル記録手段が、前記番組データを記憶する間、前記処理手段が、前記第１のサブチャンネルに対応する出力をイネーブルする、請求項８記載の装置。
【請求項１５】
一つのチャンネルに含まれる複数のサブチャンネルのうち、第１のサブチャンネルの番組データおよび識別データを含むディジタル・データを受信するステップと、
前記識別データがサブチャンネルの番号を含み、該サブチャンネルの番号がタイトル・フィールドに記憶される前記ディジタル・データを記録するステップと、
を含む、方法。
【手続補正２】
【補正対象書類名】明細書
【補正対象項目名】０００９
【補正方法】変更
【補正の内容】
【０００９】
文中に記述される本発明の好ましい実施例は、本発明の範囲を制限すると解釈されるものではない。
なお、特許請求の範囲と実施例との対応関係を図面で使われている参照番号で示すと次の通りである。
１．  複数のサブチャンネルを表す信号を受信するステップと、
前記受信した信号を処理して、前記複数のサブチャンネルのうち第１のサブチャンネルの番組データおよび識別データを含むディジタル・データを発生するステップと、
前記ディジタル・データをディジタル・データ・バスに供給するステップと、
を含む、方法。
２．  前記ディジタル・データ・バスが、ＩＥＥＥ１３９４バスを含む、請求項１記載の方法。
３．  前記ディジタル・データを受信するため、ディジタル記録装置がディジタル・データ・バスに接続され、該ディジタル記録装置がオーディオ／ビデオ・ハードディスク・ドライブを有する、請求項１記載の方法。
４．  前記ディジタル・データを受信するため、ディジタル記録装置がディジタル・データ・バスに接続され、
前記ディジタル記録装置に、前記識別データを所定の記憶場所に記憶させるステップをさらに含む、請求項１記載の方法。
５．  前記番組データが、オーディオ・データとビデオ・データを含み、
前記識別データが、サブチャンネルの番号を含み、
前記所定の記憶場所が、タイトル・フィールドを含む、請求項４記載の方法。
６．  前記ディジタル・データ・バスを介して、前記識別データを前記所定の記憶場所から読み出すステップと、
前記ディジタル・データ・バスを介して、前記番組データを前記ディジタル記録装置から受信するステップと、
前記第１のサブチャンネルに対応する出力をイネーブルするステップと、を含む、請求項４記載の方法。
７．  前記ディジタル・データを受信するため、ディジタル記録装置がディジタル・データ・バスに接続され、
前記ディジタル読出し装置が、前記番組データを記憶する間、前記第１のサブチャンネルに対応する出力をイネーブルするステップをさらに含む、請求項１記載の方法。
８．  複数のサブチャンネルを表す信号を処理し、前記複数のサブチャンネルのうち第１のサブチャンネルの番組データと識別データを含むディジタル・データを発生するための処理手段（１４）と、
前記ディジタル・データを、ディジタル・データ・バス（３０）を介して、ディジタル記録装置（４０）に供給する入力／出力手段（１３）と、
を備える、装置（２０）。
９．  前記ディジタル・データ・バス（３０）が、ＩＥＥＥ１３９４バスを含む、請求項８記載の装置（２０）。
１０．  前記ディジタル記録装置（４０）が、オーディオ／ビデオ・ハードディスク・ドライブを備える、請求項８記載の装置（２０）。
１１．  前記処理手段（１４）が、前記ディジタル記録装置（４０）に前記識別データを所定の記憶場所に記憶させる、請求項８記載の装置（２０）。
１２．  前記番組データが、オーディオ・データとビデオ・データを含み、
前記識別データが、サブチャンネルの番号を含み、
前記所定の記憶場所が、タイトル・フィールドを含む、請求項１１記載の装置（２０）。
１３．  前記処理手段（１４）が、前記ディジタル・データ・バス（３０）を介して、前記所定の記憶場所から前記識別データを読み出し、再生動作を開始するユーザ入力に応答して、前記第１のサブチャンネルに対応する出力をイネーブルする、請求項１１記載の装置（２０）。
１４．  前記ディジタル記録手段（４０）が、前記番組データを記憶する間、前記処理手段（１４）が、前記第１のサブチャンネルに対応する出力をイネーブルする、請求項８記載の装置（２０）。
１５．  一つのチャンネルに含まれる複数のサブチャンネルのうち、第１のサブチャンネルの番組データおよび識別データを含むディジタル・データを受信するステップと、
前記識別データがサブチャンネルの番号を含み、該サブチャンネルの番号がタイトル・フィールドに記憶される前記ディジタル・データを記録するステップと、
を含む、方法。
【手続補正３】
【補正対象書類名】明細書
【補正対象項目名】００１４
【補正方法】変更
【補正の内容】
【００１４】
ディジタル記録装置４０は、ディジタル・データ・バス３０を介し装置２０から供給されるデータ（オーディオ、ビデオ、その他のデータ）をディジタル的に記録する。ディジタル記録装置４０で記録されたディジタル・データは、再生の間、出力としてディジタル・データ・バス３０を介し装置２０にも供給される。ディジタル記録装置４０は、ディジタル・データ・バス３０のバス規格（ＩＥＥＥ１３９４、Ｈｉｐｅｒｌａｎ２など）に従うＡＶＨＤＤ、ＤＶＣＲ、または他のあらゆるタイプのディジタル記録装置として具現化される。
【手続補正４】
【補正対象書類名】明細書
【補正対象項目名】００２０
【補正方法】変更
【補正の内容】
【００２０】
また、プロセッサ１４は、パケット識別子（ＰＩＤ：パケットＩＤ）フィルタリング処理を実行し、利用者が記録用に選択した一つ以上のサブチャンネルおよび番組ガイド・データに対応する所望のＰＩＤを有するデータ・パケット以外、受信したチャンネル内のデータ・パケットを全てフィルタして除去する。このパケットＩＤ（ＰＩＤ）フィルタリング処理により、ディジタル記録装置４０に供給されるデータ量を減少させて、必要とされる帯域幅を減少させる。この態様に関する更なる詳細は、以下に示す。また、プロセッサ１４は、本明細書中で述べる他の種々の機能（データをメモリ１５から読み出しおよびメモリ１５に書き込む、メニューの表示／信号形式の検出／他の機能をイネーブルするなど）を実行する。
【手続補正５】
【補正対象書類名】明細書
【補正対象項目名】００２１
【補正方法】変更
【補正の内容】
【００２１】
メモリ１５は、装置２０のデータ記憶機能を行う。メモリ１５は、ソフトウェア・コード、現在動作中のモードのデータ、ユーザ・セットアップ（設定）データ、メニュー・データ、および／または他のデータを記憶する。それにより、プロセッサ１４は、本明細書中で述べる種々の機能を実行できる。
【手続補正６】
【補正対象書類名】明細書
【補正対象項目名】００２７
【補正方法】変更
【補正の内容】
【００２７】
ステップ３０６で判断がＮＯ（ノー）であれば、ステップ３０５に戻り、ここで装置２０は、プロセッサ１４の制御の下で、記録動作を放棄する。ステップ３０６での判断がＹＥＳ（イエス）であれば、３０７に進み、装置２０はパケットＩＤ（ＰＩＤ）フィルタリングを実行すべきか判断する。ステップ３０１で、受信したチャンネルの全てのサブチャンネルよりも少ない数のサブチャンネルを記録することを利用者が選択した場合は、プロセッサ１４は、サブチャンネルをブロックするためにＰＩＤフィルタリング行う。この場合、プロセッサ１４は、利用者が記録するために選択したサブチャンネルと番組ガイド・データ以外は、受信したチャンネルにおける全てのサブチャンネルをブロックする根拠として、パケットＩＤ（ＰＩＤ）を使用する。
【手続補正７】
【補正対象書類名】明細書
【補正対象項目名】００２８
【補正方法】変更
【補正の内容】
【００２８】
ステップ３０７で、判断がＹＥＳ（イエス）であれば、ステップ３０８に進み、プロセッサ１４のＰＩＤフィルタが始動され、利用者の選択に従うサブチャンネル記録の間、ＰＩＤフィルタリングを実行する。ステップ３０８から、ステップ３０９に進み、装置２０は記録動作をスタートし、プロセッサ１４の制御の下でディジタル・データ・バス３０を介し、記録コマンド信号およびＰＩＤフィルタされたディジタル・データ・ストリームをディジタル記録装置４０に供給する。プロセッサ１４は、記録用に利用者が選択した一つ以上のサブチャンネルおよび番組ガイド・データに対応する所望のＰＩＤを有するデータ・パケット以外は、受信したチャンネルにおけるデータ・パケットを全てフィルタし、除去する。データ・パケットのフィルタリングは、当技術分野で知られている方法で行われる。このように、所望のパケットＩＤ（ＰＩＤ）を有するデータ・パケットのみがディジタル記録装置４０に供給され記録される。２次的オーディオ・パケットも全てフィルタされて、必要とされる帯域幅を更に減少させる。ディジタル・データ・バス３０が十分な帯域幅を有し且つディジタル記録装置４０が追加的データを処理できるなら、利用可能な２次的オーディオ・パケットおよびサブピクチャ・パケットのような他のパケットも、利用者の選択に基づいて、ディジタル記録装置４０に送られる。この点に関し、装置２０は帯域幅の限度を選択でき、帯域幅の限度を超過するとフィルタで除去すべきディジタル・データ・ストリームを選択することを利用者は促される。
【手続補正８】
【補正対象書類名】明細書
【補正対象項目名】００３１
【補正方法】変更
【補正の内容】
【００３１】
タイトル・フィールド（ｔｉｔｌｅ  ｆｅｉｌｄ）またはそれと同等のもの（例えば、名称ブロック）を使用してチャンネルおよびサブチャンネルの識別データを記憶すると、再生中、チャンネル情報およびサブチャンネル情報が、タイトルの一部として利用者に表示されるので、望ましい。逆に言えば、チャンネルおよびサブチャンネルの識別データは、タイトル・フィールドあるいは他のフィールドの末端に記憶されるので、チャンネル情報およびサブチャンネル情報は、利用者のためにタイトルを表示する際に切り取られる。別の実施例によれば、タイトル情報が既にタイトル・ストリングの全長を占めている場合には、タイトル・フィールドの最後の部分（例えば、最後の１０バイト）は、チャンネルおよびサブチャンネルの識別データで上書きされる。
【手続補正９】
【補正対象書類名】明細書
【補正対象項目名】００３２
【補正方法】変更
【補正の内容】
【００３２】
ステップ３１０でデータの記憶をイネーブル（可能に）するために、装置２０は、プロセッサ１４の制御の下でディジタル・データ・バスを介し、ディジタル記録装置４０に記録されているチャンネルとサブチャンネルについてコマンド信号と識別データを供給し、ディジタル記録装置４０は所定の記憶場所にチャンネルおよびサブチャンネルの識別データを記憶する。ステップ３１０で供給されるコマンド信号はＡＶ／Ｃプロトコルのコマンド信号か、または別のプロトコルのコマンド信号である。例えば、ＡＶ／Ｃプロトコルの場合、ステップ３１０において「ＷＲＩＴＥ  ＩＮＦＯ  ＢＬＯＣＫ（書込み情報ブロック）」コマンド信号が装置２０で使用され、それにより、ディジタル記録装置４０は、名称情報ブロックのような、所定の記憶場所にチャンネルおよびサブチャンネルの識別データを記憶する。実施例によれば、チャンネルおよびサブチャンネルの識別データは、「ＸＸＸ‐ＹＹＹ」のような所定の形式を有する。ここで、「ＸＸＸ」は３桁のチャンネル番号を表し、「ＹＹＹ」は３桁のサブチャンネル番号を表す。このタイプの識別データ形式は、記録される各サブチャンネルについて使用される。チャンネルおよびサブチャンネルの識別データに関しては他のタイプ（型）の形式も使用される。
【手続補正１０】
【補正対象書類名】明細書
【補正対象項目名】００３３
【補正方法】変更
【補正の内容】
【００３３】
上述したステップ３１０は、本発明による再生（プレイバック）動作を可能にするのに特に役に立つ。記録動作の間、前述したパケットＩＤ（ＰＩＤ）フィルタリングを行う際に、ディジタル記録装置４０に供給されるディジタル・データ・ストリーム内に含まれる番組アソシエーション表（ＰＡＴ）および番組マップ表（ＰＭＴ）データのような番組ガイド・データを装置２０が編集できなければ、問題となる。もしこのような番組（プログラム）ガイド・データが編集できないと、たとえ利用者が記録用にサブチャンネルを１つだけ選択したとしても、ディジタル記録装置４０で記録されるデータの中にそのディジタル・データ・ストリーム内に含まれる全てのサブチャンネルの番組ガイド・データが含まれることになる。従って、利用者は、或るサブチャンネルが既に記録されており再生できると誤信するかもしれない。例えば、利用者は、再生用に或る一定のサブチャンネルを選択することにより、記録済みの番組ガイド・データ（例えば、ＰＡＴ、ＰＭＴ）において照会されているサブチャンネルを装置２０に探させるが、それは以前にパケットＩＤ（ＰＩＤ）フィルタリングで除去されているので、記録済みのディジタル・データ・ストリーム内には存在していない。その結果として、再生中に、空白の画面となり音声も出なくなり、利用者は望ましくない視聴を経験するかもしれない。以下に述べるように、ステップ３１０で、記録されるチャンネルおよびサブチャンネルの識別データを記憶することはこの問題を回避するのに役立つ。
【手続補正１１】
【補正対象書類名】明細書
【補正対象項目名】００３６
【補正方法】変更
【補正の内容】
【００３６】
ステップ４０２で判断がＹＥＳ（イエス）であれば、ステップ４０３に進み、ここで、再生動作に変化は生じない。もしステップ４０２で判断がＮＯ（ノー）であれば、流れはステップ４０４に進み、ここで装置２０は、所定の記憶場所にチャンネルおよびサブチャンネル識別データをディジタル記録装置４０が記憶しているかどうか判断する。前述のように、ステップ３１０の記録動作の間、装置２０はディジタル記録装置４０に、所定の記憶場所（タイトル・フィールドまたは他の場所）にチャンネルおよびサブチャンネルの識別データを記憶させる。
【手続補正１２】
【補正対象書類名】明細書
【補正対象項目名】００３７
【補正方法】変更
【補正の内容】
【００３７】
実施例によれば、ステップ４０４で、装置２０は判断を行い、プロセッサ１４の制御の下でディジタル・データ・バス３０を介し、コマンド信号をディジタル記録装置４０に供給し、それにより、所定の記憶場所からデータを読み出す。ステップ４０４で供給されるコマンド信号は、ＡＶ／Ｃプロトコルのコマンド信号、または別のプロトコルのコマンド信号である。例えば、ＡＶ／Ｃプロトコルの場合、ステップ４０４において「ＲＥＡＤ  ＩＮＦＯ  ＢＬＯＣＫ（読取り情報ブロック）」コマンド信号が装置２０で使用されて、名称情報ブロックのような所定の記憶場所からデータを読み出す。以下に述べるように、チャンネルおよびサブチャンネルの識別データが、所定の形式（例えば、「ＸＸＸ‐ＹＹＹ」）により所定の記憶場所に記憶される。ここで、「ＸＸＸ」は３桁のチャンネル番号を表し、「ＹＹＹ」は３桁のサブチャンネル番号を表す。従って、装置２０は、読出しデータの形式に基づいて所定の記憶場所にチャンネルおよびサブチャンネルの識別データをディジタル記録装置４０が記憶していることを容易に検出できる。
【手続補正１３】
【補正対象書類名】明細書
【補正対象項目名】００３９
【補正方法】変更
【補正の内容】
【００３９】
ステップ４０４で、判断がＹＥＳ（イエス）であれば、ステップ４０６に進み、ここで装置２０は、識別された第１のサブチャンネルを再生する。ステップ４０６で、装置２０は再生動作を開始し、ディジタル・データ・バス３０を介して、再生コマンド信号をディジタル記録装置４０に供給する。再生（プレイ）コマンド信号は、ＡＶ／Ｃプロトコルのコマンド信号、または別のプロトコルのコマンド信号である。ステップ４０６で供給される再生コマンド信号により、ディジタル記録装置４０は、記録済みのサブチャンネルの番組データ（オーディオ／ビデオ・データ）と番組ガイド・データを含む記憶されたディジタル・データを装置２０に供給する。装置２０は、ステップ４０４で読み出されるチャンネルおよびサブチャンネルの識別データを使用し、受信したディジタル・データを処理し、識別された第１のサブチャンネルに対応する聴覚的／視覚的出力をイネーブルする。プロセッサ１４は、ステップ４０４で読み出されるサブチャンネル識別データを使用して、識別された第１のサブチャンネルに同調し、対応する聴覚的／視覚的出力をイネーブルする。装置２０は、識別された第１のサブチャンネルを、その識別データがステップ４０４で所定の記憶場所から最初に読み出されるので、再生する。記録済みの１つのチャンネルに２つの記録済みサブチャンネルが含まれると、ステップ４０４で、第２のサブチャンネルの前に第１のサブチャンネルの識別データが読み出され、それにより識別されるので、ステップ４０６で、装置２０はこれらのサブチャンネルのうち第１のサブチャンネルを再生する。ステップ４０６で、チャンネルおよびサブチャンネルの識別データを使用して、再生動作を可能にすることにより、本発明は、ステップ４０５で起こり得る、記録されていないサブチャンネルの再生が試みられるという問題を回避できるので有利である。従って、ステップ４０６の再生動作中に、利用者は空白の画面や無音声に遭遇しない。